(57)【要約】【課題】低コストで建築物の意匠性が損なわれず、かつ、窓上部を殆んど閉状態にして室内への直射日光の入射を遮ることができるライトシェルフを備えた建築物を得ること。【解決手段】外壁１１に設けられた窓２０と、前記窓の内側の高さ方向中間部に回動支点３１が設置され、略水平内向き位置から、窓上部２２を遮蔽する上向き位置まで間の角度位置に傾斜調節可能なライトシェルフ３０と、を備え、前記回動支点が、床から１８００ｍｍを超える高さ位置に設置されている。【選択図】        図１
2006222011.tif 000002
【特許請求の範囲】
【請求項１】
外壁に設けられた窓と、
前記窓の内側の高さ方向中間部に回動支点が設置され、略水平内向き位置から、窓上部を遮蔽する上向き位置まで間の角度位置に傾斜調節可能なライトシェルフと、
を備えたことを特徴とする建築物。
【請求項２】
前記回動支点が、床から１８００ｍｍを超える高さ位置に設置されていることを特徴とする請求項１に記載の建築物。
【発明の詳細な説明】
【技術分野】
【０００１】
本発明は、窓際にライトシェルフを備えた建築物に関するものである。
【背景技術】
【０００２】
従来の建築物の採光構造として、建築物の窓の上部から屋外側に向けて張り出されたもので、遮光性または半透光性を有する庇と、反射面を上方に向けた状態で、前記窓の高さ方向の中間部から屋内側に向けて張り出されたライトシェルフと、前記窓の屋内側に沿って前記ライトシェルフの上部に設けられた垂直ルーバーとを備え、屋内への直射光の入射を防止しながらも昼光を照明光として利用可能にしたものがある（例えば、特許文献１参照）。
【０００３】
また、従来のライトシェルフとして、開口部を有する建物外壁部の前記開口部の外側に取り付けられる太陽電池兼用ライトシェルフであって、入射した直射光の一部を反射させる奥行き４００ｍｍ程度の受光面を有した太陽電池パネルを、略水平に配置して前記開口部に沿って鉛直方向に６００乃至７００ｍｍ間隔を隔て複数枚配置し、最下段の前記太陽電池パネルが、前記開口部を有する部屋の床面から１６００乃至１８００ｍｍの範囲の高さで配置され、前記太陽電池パネルの前記開口部側の後縁と外方側の前縁とが相対的に上下変位して傾斜するように、前記太陽電池パネルが、可動自在に支持され、ライトシェルフとしての太陽電池パネルを直射光の入射角度に対応した最適な反射角度、遮蔽角度に設定し、直射光をライトシェルフで遮光しながら反射光の有効利用を可能として照明・空調電力負荷を低減するようにした太陽電池兼用ライトシェルフがある（例えば、特許文献２参照）。
【０００４】
【特許文献１】特開２０００−２８５７１０号公報
【特許文献２】特開２０００−２１３２５５号公報
【発明の開示】
【発明が解決しようとする課題】
【０００５】
しかしながら、上記特許文献１に開示された従来の採光構造は、ライトシェルフの上部窓から入射する直射光を遮るために、窓の上部から屋外側に向けて張り出された遮光性または半透光性を有する庇と、窓の屋内側に沿ってライトシェルフの上部に設けられた垂直ルーバーとを設けなければならず、高コストとなるとともに、庇が屋外側に張り出していて建築物の意匠性を損ねるという問題があった。
【０００６】
また、上記特許文献２に開示された従来のライトシェルフは、複数枚のライトシェルフを建物外壁部の開口部の外側に取り付けているため、高コストとなるとともに、建物の意匠性を損ねるという問題があった。また、ライトシェルフの窓部側の側縁が外壁部に固定された鉛直方向のロッドに支持され、外方側の側縁が鉛直方向のロッドに支持され、ロッド同士の連結部を回動可能なリンク構造としているので、ライトシェルフを傾斜させることができるが、ライトシェルフの奥行き寸法が短いため、ライトシェルフを垂直位置まで上げたとしても、窓上部を閉状態にすることができず、屋内への直射光を遮ることができないという問題があった。また、ライトシェルフの可動部が屋外に設置されているので、耐風のため可動部に強度が必要となり、高コストとなるとともに耐久性にも問題があった。
【０００７】
本発明は、上記に鑑みてなされたものであって、低コストで建築物の意匠性が損なわれず、かつ、窓上部を殆んど閉状態にして室内への直射光の入射を遮ることができるライトシェルフを備えた建築物を得ることを目的とする。
【課題を解決するための手段】
【０００８】
上述した課題を解決し、目的を達成するために、本発明の建築物は、外壁に設けられた窓と、前記窓の内側の高さ方向中間部に回動支点が設置され、略水平内向き位置から、窓上部を遮蔽する上向き位置まで間の角度位置に傾斜調節可能なライトシェルフと、を備えたことを特徴とする。
【０００９】
本発明の建築物は、窓上部から入射する直射光を、庇や垂直ルーバー等を必要とせずに、直射光の仰角にかかわらず、ライトシェルフだけで遮ることができる。
【発明の効果】
【００１０】
本発明により、低コストで意匠性が損なわれず、かつ、窓上部を殆んど閉状態にして室内への直射光の入射を遮ることができる建築物が得られる。
【発明を実施するための最良の形態】
【００１１】
以下に、本発明に係る建築物の実施例を図面に基づいて詳細に説明する。なお、この実施例によりこの発明が限定されるものではない。
【実施例】
【００１２】
図１は、本発明に係る建築物の実施例を示す縦断面図である。
【００１３】
建築物１０の外壁１１には、縦方向が、腰壁１１ａの上端から天井１３に亘り、横方向が室１４の略全幅に亘る矩形の窓２０が設けられている。窓２０の高さ方向中間部に、窓上部としての上窓２２と、窓下部としての下窓２１とを仕切る窓桟２３が設けられている。床１２からの天井高さは２７００〜３０００ｍｍ程度、床１２からの窓桟２３の高さは１８５０〜２１００ｍｍ程度、上窓２２の開口高さは６００〜１０００ｍｍ程度としている。上窓２２は単板透明ガラス、下窓２１はペアガラス等の省エネガラスとなっている。
【００１４】
窓桟２３の室内側にはライトシェルフ３０の回動支点３１が設置されている。ライトシェルフ３０の奥行きおよび幅は、上窓２２の開口高さおよび幅と略同じに形成されている。ライトシェルフ３０の上面は光反射機能を有し、天井１３は、高反射率の仕上材により光散乱機能を有している。床１２からの窓桟２３の高さ（回動支点３１の高さ）を、１８００ｍｍを超える高さとすることにより、ライトシェルフ３０を設置しても、室１４からの上方視界のよい建築物とすることができる。
【００１５】
ライトシェルフ３０の回動支点３１の反対側には吊り紐３２の一端が結び付けられ、吊り紐３２の他端は、上窓２２と天井１３の隅部に設置された電動リール３３に巻き取られている。電動リール３３の巻き取り量を調節することにより、ライトシェルフ３０を、図１に示す略水平内向き位置から、窓上部としての上窓２２を遮蔽する上向き位置までの角度位置に傾斜調節可能となっている。窓桟２３からブラインド４０を吊り下げ、下窓２１から入射する直射光を遮るようにする。
【００１６】
天井１３には、照度調整可能なＨｆ照明器具５０およびインテリジェント照度センサー５１を設置し、窓２０からの採光により室１４が予め定めた明るさ以上になると、インテリジェント照度センサー５１がこれを検知して、Ｈｆ照明器具５０への供給電力を絞り、省エネを図るようになっている。
【００１７】
次に、上記のように構成された建築物の採光および遮光方法について説明する。日中、仰角が略４５°以上の高い角度から直射光６０が上窓２２に照射されるときは、ライトシェルフ３０を図１に示す略水平内向き位置とし、ライトシェルフ３０の上面で直射光６０を天井１３に向けて反射させ、天井１３で散乱光として室内照明光として利用し、Ｈｆ照明器具５０への供給電力を絞ることにより省エネを図る。
【００１８】
朝夕および冬の日中に、仰角が略４５°以下の低い角度から直射光６１が上窓２２に照射されるときは、ライトシェルフ３０が図１に示す水平内向き位置では、直射光６１がライトシェルフ３０に反射されずに室１４内に照射され、グレアを引き起こすので、直射光６１の入射角度に応じてライトシェルフ３０を上向きに傾斜させ、直射光６１の室１４内への入射を防止する。
【００１９】
また、夏の室内冷房時には、ライトシェルフ３０を上向き位置とし、上窓２２から入射する直射光を全て屋外へ反射させて室１４内の日射負荷を低減させ、冷房電力を低減させる。なお、下窓２１からの直射光は、ブラインド４０により遮光することができる。
【００２０】
以上説明したライトシェルフ３０を備えた建築物１０は、窓上部としての上窓２２から入射する直射光を、庇や垂直ルーバー等を必要とせずに、直射光の仰角にかかわらず、ライトシェルフ３０だけで遮ることができ低コストである。また、窓２０の外側に庇やライトシェルフを設置しないので建築物の意匠性が損なわれない。また、ライトシェルフ３０の可動部が室１４内に設置されているので耐久性に優れ、かつ、低コストである。
【００２１】
なお、この実施例では、窓２０の高さ方向中間部に、窓上部としての上窓２２と、窓下部としての下窓２１とを仕切る窓桟２３を設けたが、窓２０は窓桟２３のない一枚窓とし、ライトシェルフ３０の支点３１は、左右の仕切壁等に設置してもよい。また、電動リール３３は、ロープ等で駆動する手動リールとしてもよいし、リールと吊り紐３２によらずに、回動支点３１を直接回動駆動するようにしてもよい。また、下窓２１は省エネガラスでなくてもよい。
【産業上の利用可能性】
【００２２】
以上のように、本発明にかかる建築物は、低コストで意匠性の高い省エネ型建築物であり、学校、病院、事務所、店舗、住宅等の建築物として有用である。
【図面の簡単な説明】
【００２３】
【図１】本発明に係る建築物の実施例を示す縦断面図である。
【符号の説明】
【００２４】
１０  建築物
１１  外壁
１２  床
１３  天井
１４  室
２０  窓
２１  下窓（窓下部）
２２  上窓（窓上部）
２３  窓桟
３０  ライトシェルフ
３１  回動支点
３２  吊り紐
３３  電動リール
４０  ブラインド
５０  Ｈｆ照明器具
５１  インテリジェント照度センサー
６０，６１  直射光
【図１】
2006222011.tif 000003